(57)【要約】【課題】バストに対するカップ部の上縁部分の浮きをより効果的に抑制することが可能な、カップ部を有する衣類を提供する。【解決手段】ブラジャー１は、バストを覆う裏カップ部１１と、裏カップ部の表側を覆い、裏カップ部よりも高い伸縮性を有する表カップ部１５と、裏カップ部及び表カップ部に縫着され、着用時における肩ストラップ部３０の引き上げと連動して裏カップ部及び表カップ部を引き上げる部分である引き上げ部３１と、を備える。引き上げ部は、表カップ部の上縁部分１１ａに縫着され、裏カップ部には縫着されない第１連結部３３と、裏カップ部の上縁部分１５ａに縫着され、表カップ部には縫着されない第２連結部３５とにおいて、裏カップ部及び表カップ部に縫着されている。【選択図】図２
2014070287.tif 000002
【特許請求の範囲】
【請求項１】
バストを覆う裏カップ部と、
前記裏カップ部の表側を覆う表カップ部と、
前記裏カップ部及び前記表カップ部に連結され、着用時における肩ストラップ部の引き上げと連動して前記裏カップ部及び前記表カップ部を引き上げる部分である引き上げ部と、
を備え、
前記引き上げ部は、前記表カップ部の上縁部分に連結され、前記裏カップ部には連結されない第１連結部と、前記裏カップ部の上縁部分に連結され、前記表カップ部には連結されない第２連結部とにおいて、前記裏カップ部及び前記表カップ部に連結されている、
カップ部を有する衣類。
【請求項２】
前記表カップ部は、上下方向において、少なくとも一部が、前記裏カップ部の上縁部分の位置よりも上方の部分まで覆うように設けられており、
前記第２連結部は、上下方向において前記第１連結部よりも下方に位置し、
前記引き上げ部における前記第１連結部と前記第２連結部との間には、前記裏カップ部及び前記表カップ部のいずれにも連結されない自由部分が形成されている、
請求項１に記載のカップ部を有する衣類。
【請求項３】
前記引き上げ部は、テープ状の部材である、
請求項１又は２に記載のカップ部を有する衣類。
【請求項４】
前記引き上げ部は、布状の部材である、
請求項１又は２に記載のカップ部を有する衣類。
【請求項５】
前記引き上げ部は、前記肩ストラップ部の一部として形成される、
請求項１〜４の何れか一項に記載のカップ部を有する衣類。
【請求項６】
前記引き上げ部は、直接又は留め具を介して前記肩ストラップ部に連結される、
請求項１〜４の何れか一項に記載のカップ部を有する衣類。
【発明の詳細な説明】
【技術分野】
【０００１】
本発明は、本発明は、ブラジャーなどのカップ部を有する衣類に関する。
【背景技術】
【０００２】
ブラジャーを始めとするカップ部を有する衣類においては、カップ部のバストに対するフィット性が求められている。このようなニーズに対し、肩ストラップ部による引き上げ効果を利用してカップ部のバストに対するフィット性を向上させることができるブラジャーが開示されている。例えば、特許文献１〜３には、バストを覆う裏カップ部と裏カップ部の前面側を覆うように設けられた表カップ部とを備え、裏カップ部及び表カップ部が肩ストラップ部によって引き上げられるブラジャーが開示されている。
【０００３】
特許文献１に記載のブラジャーでは、肩ストラップ部が、裏カップ部及び表カップ部に２か所で縫着されている。１つは、肩ストラップ部の先端部における縫着部であり、ここでは肩ストラップ部が表カップ部及び裏カップ部の両方に縫着されている。もう一つは、着用時において上記縫着部よりも上方部分における縫着部であり、ここでは肩ストラップ部が表カップ部にのみ縫着されている（特許文献１の図５参照）。
【０００４】
特許文献２に記載のブラジャーは、肩ストラップ部の先端が二つに分かれている。二つに分かれた一方の肩ストラップ部は、裏カップ部及び表カップ部の脇側部分に沿って連続的に縫着されている。他方の肩ストラップ部は、一方の肩ストラップ部の縫着位置よりも前中心寄りの位置で、その先端が裏カップ部の上縁部分に縫着されている（特許文献２の図５参照）。
【０００５】
特許文献３に記載のブラジャーは、特許文献２に記載のブラジャーと同様に肩ストラップ部の先端が二つに分かれており、二つに分かれた一方の肩ストラップ部が裏カップ部及び表カップ部の脇側部分に沿って連続的に縫着され、他方の肩ストラップ部がこの縫着位置よりも前中心寄りの位置で裏カップ部及び表カップ部の両方の上縁部分に縫着されている（特許文献３の図２参照）。
【先行技術文献】
【特許文献】
【０００６】
【特許文献１】特開２０１２−７２７１号公報
【特許文献２】特開２００９−１０２７６９号公報
【特許文献３】特開２００５−３２０６５９号公報
【発明の概要】
【発明が解決しようとする課題】
【０００７】
本願発明者らは、カップ部のバストに対するフィット性の中でも、着用者の動きに起因して着崩れを生じやすくさせてしまう、カップ部上縁部分のバストに対するフィット性について、特にニーズが高いという調査結果を得た。
【０００８】
そこで、本発明の主な目的は、バストに対するカップ部の上縁部分の浮きをより効果的に抑制することが可能な、カップ部を有する衣類を提供することにある。
【課題を解決するための手段】
【０００９】
本発明のカップ部を有する衣類は、バストを覆う裏カップ部と、裏カップ部の表側を覆う表カップ部と、裏カップ部及び表カップ部に連結され、着用時における肩ストラップ部の引き上げと連動して裏カップ部及び表カップ部を引き上げる部分である引き上げ部と、を備える。引き上げ部は、第１連結部と第２連結部とにおいて裏カップ部及び表カップ部に連結されている。第１連結部は、表カップ部の上縁部分に連結されるが裏カップ部には連結されない。第２連結部は、裏カップ部の上縁部分に連結されるが表カップ部には連結されない。
【００１０】
このカップ部を有する衣類では、肩ストラップ部の一部として形成されたり、肩ストラップ部に直接又は間接的に連結されたりする引き上げ部が、着用時における肩ストラップ部の引き上げに連動して裏カップ部及び表カップ部を引き上げる。このとき、引き上げ部は、第１連結部と第２連結部とを有することにより本願特有の作用を生じる。すなわち、第２連結部では、引き上げ部は、裏カップ部の上縁部分に連結され、表カップ部には連結されていない。このため、引き上げ部の引き上げにより、第２連結部では、裏カップ部のみが肌側上方に引っ張られ、裏カップ部の上縁部分が肌側に引き寄せられる。また、第１連結部では、引き上げ部は、表カップ部の上縁部分に連結され、裏カップ部には連結されていない。このため、引き上げ部の引き上げにより、第１連結部では、表カップ部のみが肌側上方に引っ張られる。裏カップ部及び表カップ部が、引き上げ部の引き上げによりそれぞれ独立して引っ張られるので、例えば、表カップ部の伸縮性を裏カップ部よりも高いものとしたり、表カップ部を、裏カップ部の上縁部分の位置よりも上下方向において上方の位置まで覆うように設けたりすることにより、表カップ部は、裏カップ部の上縁部分を完全に覆い、裏カップ部を肌側に向かって押圧する。
【００１１】
このように、引き上げ部の引き上げにより単に裏カップ部の上縁部分が肌側に引き寄せられるだけではなく、表カップ部による肌側方向への押圧により裏カップ部の上縁部分が肌側に押さえつけられるので、バストに対するカップ部の上縁部分の浮きを、より効果的に抑制することが可能となる。
【００１２】
また、表カップ部が裏カップ部の上縁部分を覆うので、目隠し的な効果も発揮する。
【００１３】
また、本発明のカップ部を有する衣類では、表カップ部は、上下方向において、少なくとも一部が、裏カップ部の上縁部分の位置よりも上方の部分まで覆うように設けられており、第２連結部は、上下方向において第１連結部よりも下方に位置し、引き上げ部における第１連結部と第２連結部との間には、裏カップ部及び表カップ部のいずれにも連結されない自由部分が形成されてもよい。
【００１４】
このカップ部を有する衣類によれば、肩ストラップ部の引き上げに連動して肌側上方に引っ張られた表カップ部は、裏カップ部の上縁部分をより広く覆うので、裏カップ部を肌側方向により効率的に押圧する。
【００１５】
また、本発明のカップ部を有する衣類では、引き上げ部は、テープ状の部材であってもよいし、布状の部材であってもよい。
【００１６】
また、本発明のカップ部を有する衣類では、引き上げ部は、肩ストラップ部の一部として形成されてもよいし、直接又は留め具を介して肩ストラップ部に連結されてもよい。
【発明の効果】
【００１７】
本発明によれば、バストに対するカップ部の上縁部分の浮きを、より効果的に抑制することが可能となる。
【図面の簡単な説明】
【００１８】
【図１】本発明に係るカップ部を有する衣類の第１実施形態であるブラジャーの正面図である。
【図２】図１のカップ部の上縁部分を拡大して示す裏面図である。
【図３】図２のカップ部の上縁部分を示す断面図である。
【図４】本実施形態の連結構造を有するブラジャーの着用状態を斜め上方前から見た図と、従来の連結構造を有するブラジャーの着用状態を斜め上方前から見た図とである。
【図５】本発明に係るカップ部を有する衣類の第２実施形態であるブラジャーについて、カップ部の上縁部分を拡大して示す裏面図である。
【図６】本発明に係るカップ部を有する衣類の第３実施形態であるブラジャーについて、カップ部の上縁部分を拡大して示す裏面図である。
【図７】本発明に係るカップ部を有する衣類の第４実施形態であるブラジャーについて、カップ部の上縁部分を拡大して示す裏面図である。
【図８】本発明に係るカップ部を有する衣類の第５実施形態であるブラジャーについて、カップ部の上縁部分を拡大して示す裏面図である。
【図９】本発明に係るカップ部を有する衣類の第６実施形態であるブラジャーについて、カップ部の上縁部分を拡大して示す裏面図である。
【図１０】図９のカップ部の上縁部分を示す断面図である。
【発明を実施するための形態】
【００１９】
以下、図面を参照して本発明の一実施形態について説明する。図面の説明において、同一要素には同一符号を付し、重複する説明を省略する。図面の寸法比率は、説明のものと必ずしも一致していない。また、「上」、「下」、「左」、「右」などの方向を示す語は、着用時の状態を基準とする便宜的な語である。
【００２０】
（第１実施形態）
図１は、本発明に係るカップ部を有する衣類の第１実施形態を示す正面図である。図１に示すように、カップを有する衣類の一例としてのブラジャー１は、左右略対称であるので、以下では左右のうち一方のみを説明する。
【００２１】
ブラジャー１は、図１に示すように、カップ部１０と、肩ストラップ部３０と、土台部４０と、バック部５０と、を備えている。
【００２２】
カップ部１０は、バストを覆う裏カップ部１１と、裏カップ部１１の表側を覆う表カップ部１５と、を有する。ここでいう表側とは、肌側（裏側）とは反対側をいう。裏カップ部１１は、難伸縮性又は非伸縮性の布材により形成される。難伸縮性又は非伸縮性の布材としては、例えば、不織布、ポリウレタンフォーム、ダブルラッセルが用いられる。表カップ部１５は、裏カップ部１１よりも高い伸縮性を有する布材により形成される。高い伸縮性を有する布材としては、例えば、合成繊維や天然繊維の織布、編布（レースを含む）などが用いられる。また、表カップ部１５には装飾が施されることにより、美観の向上が図られてもよい。
【００２３】
裏カップ部１１の上縁部分１１ａは、上方に向かって凸状に緩やかに湾曲し、上縁部分１１ａの前中心側端部が、下縁部分１１ｂの前中心側端部近傍に繋がっている。一方、下縁部分１１ｂは、バストのバージスラインに沿うように緩やかに湾曲し、下縁部分１１ｂの脇側端部が、裏カップ部１１の脇側部分１１ｃの下端部に繋がっている。裏カップ部１１の脇側部分１１ｃは、上縁部分１１ａの脇側端部と下縁部分１１ｂの脇側端部とを繋ぐ部分である。脇側部分１１ｃの表側には表カップ部１５の脇側部分１５ｃが縫着され、裏側には伸縮性を有するテープ部材１２が縫着されている。
【００２４】
表カップ部１５の上縁部分１５ａは、裏カップ部１１の上縁部分１１ａと同様に、上方に向かって凸状に緩やかに湾曲し、上縁部分１５ａの前中心側端部が、下縁部分１５ｂの前中心側端部近傍と繋がっている。表カップ部１５は、上下方向において、その上縁部分１５ａが裏カップ部１１の上縁部分１１ａの位置よりも上方の部分まで覆うように設けられている。言い換えれば、表カップ部１５は、裏カップ部１１の上縁部分１１ａを完全に覆われるようなサイズに形成されている。また、下縁部分１５ｂも、裏カップ部１１の下縁部分１１ｂと同様に、バストのバージスラインに沿うように緩やかに湾曲し、下縁部分１５ｂの脇側端部が、表カップ部１５の脇側部分１５ｃの下端部に繋がっている。脇側部分１５ｃは、上縁部分１５ａの脇側端部と下縁部分１５ｂの脇側端部とを繋ぐ部分である。脇側部分１５ｃの裏側には、裏カップ部１１の脇側部分１１ｃ及びテープ部材１２が縫着されている。
【００２５】
裏カップ部１１及び表カップ部１５の下縁部分１１ｂ，１５ｂには、土台部４０が縫着されている。土台部４０は、少なくとも前中心部は非伸縮性、難伸縮性の織布や編布などの素材により形成されている。土台部４０の上縁部分４０ａは、下縁部分１１ｂ，１５ｂの形状に沿って湾曲している。土台部４０の下縁部分４０ｂは、左右方向に延在しており、その延在方向に沿って、伸縮性の高いテープ部材４７が縫着されている。土台部４０の左右方向における両端には、背側に向かって延びるバック部５０がそれぞれ縫着されている。
【００２６】
バック部５０は、例えば伸縮性の繊維素材から形成され、バック部５０における背側の端部には、ホック５１が設けられている。左右のバック部５０は、このホック５１により互いに係脱自在となっている。
【００２７】
さらに、カップ部１０（裏カップ部１１及び表カップ部１５）と土台部４０との境界、すなわちバージスラインに沿ったカップ部１０の裏側には厚手の布材からなるテープ部材４３が縫着されており、その中にワイヤ４５が装着されている。
【００２８】
裏カップ部１１及び表カップ部１５の上縁部分１１ａ，１５ａには肩ストラップ部３０が連結されている。肩ストラップ部３０は、例えば伸縮性の生地を紐状（テープ状）に成形・縫製して形成され、カップ部１０とバック部５０の上縁部分とを繋ぐように設けられている。肩ストラップ部３０の中間部分には、長さ調節具７１が取付けられており、着用者が肩ストラップ部３０の長さを適宜調節できるようになっている。
【００２９】
次に、肩ストラップ部３０と裏カップ部１１及び表カップ部１５との連結構造について、図２及び図３を用いて詳細に説明する。図２は、図１のカップ部の上縁部分を拡大して示す裏面図である。図３は、図２のカップ部の上縁部分を示す断面図である。
【００３０】
肩ストラップ部３０は、図２及び図３に示すように、裏カップ部１１及び表カップ部１５に連結されており、肩ストラップ部３０の一部は、着用時における肩ストラップ部３０の引き上げと連動して裏カップ部１１及び表カップ部１５を引き上げる部分である引き上げ部（図２に示すハッチング部分）を形成する。以後、この肩ストラップ部３０の一部を「引き上げ部３１」とも称す。
【００３１】
引き上げ部３１は、第１連結部３３及び第２連結部３５においてカップ部１０（裏カップ部１１及び表カップ部１５）に縫着（連結）されている。第１連結部３３は、表カップ部１５の上縁部分１５ａに縫着され、裏カップ部１１には縫着されていない。第２連結部３５は、裏カップ部１１の上縁部分１１ａに縫着され、表カップ部１５には縫着されていない。
【００３２】
また、第２連結部３５は、上下方向において第１連結部３３よりも下方に位置する。言い換えれば、表カップ部１５は、少なくとも引き上げ部３１が縫着された部分（第１連結部３３）が、上下方向において裏カップ部１１の上縁部分１１ａの位置よりも上方の部分まで覆うように設けられている。そして、引き上げ部３１における第１連結部３３と第２連結部３５との間には、裏カップ部１１及び表カップ部１５のいずれにも縫着（連結）されない自由部分３７が形成されている。このとき、裏カップ部１１の上縁部分１１ａと表カップ部１５の上縁部分１５ａとの上下方向における距離、すなわち自由部分３７の上下方向における長さを、例えば、２ｃｍ〜４ｃｍに設定することができる。引き上げ部３１（肩ストラップ部３０）の伸縮性は、裏カップ部１１及び表カップ部１５よりも高くしている。また、引き上げ部３１の伸度（伸縮性）は、表カップ部１５の伸度の１．３倍以上とすることが好ましい。
【００３３】
次に、上記構成を有するブラジャー１の作用及び効果について説明する。ブラジャー１が人体に着用されると、肩ストラップ部３０が引き上げられ、肩ストラップ部３０の一部として形成される引き上げ部３１も上方に引き上げられる。この引き上げ部３１の引き上げ力によって、カップ部１０（裏カップ部１１及び表カップ部１５）が引き上げられる。このとき、引き上げ部３１は、第１連結部３３と第２連結部３５とを有することにより本実施形態のブラジャー１特有の作用を生じる。
【００３４】
すなわち、第２連結部３５では、引き上げ部３１は、裏カップ部１１の上縁部分１１ａに縫着され、表カップ部１５には縫着されていない。このため、引き上げ部３１の引き上げにより、第２連結部３５では、裏カップ部１１のみが肌側上方に引っ張られる。これにより、裏カップ部１１の上縁部分１１ａが肌側に引き寄せられる。また、第１連結部３３では、引き上げ部３１は、表カップ部１５の上縁部分１５ａに連結され、裏カップ部１１には連結されていない。このため、引き上げ部３１の引き上げに連動して、第１連結部３３では、表カップ部１５のみが肌側上方に引っ張られる。ここで、表カップ部１５の伸縮性が裏カップ部１１よりも高く、かつ表カップ部１５が裏カップ部１１の上縁部分１１ａの位置よりも上方の位置まで覆うように設けられており、裏カップ部１１及び表カップ部１５は、引き上げ部３１の引き上げによりそれぞれ独立して引っ張られるので、表カップ部１５は、裏カップ部１１の上縁部分を完全に覆い、裏カップ部１１を肌側に向かって押圧する。
【００３５】
このように、引き上げ部３１の引き上げにより単に裏カップ部１１の上縁部分１１ａが肌側に引き寄せられるだけではなく、表カップ部１５による肌側方向への押圧により、裏カップ部１１の上縁部分１１ａが肌側に押さえつけられる。この結果、バストに対するカップ部１０（裏カップ部１１及び表カップ部１５）の上縁部分１１ａ，１５ａの浮きを、より効果的に抑制することが可能となる。
【００３６】
また、表カップ部１５は、裏カップ部１１よりも高い伸縮性を有する布材により形成されるので、引き上げ部２０により引っ張られた際に肌側上方により伸びる。これにより、裏カップ部１１の上縁部分１１ａをより広く覆うことができ、目隠し的な効果も発揮する。
【００３７】
なお、引き上げ部３１によって引き上げられた際に表カップ部１５の上縁部分１５ａが裏カップ部１１の上縁部分１１ａより上方に位置するようにすることは、表カップ部１５、裏カップ部１１、引き上げ部３１のそれぞれの伸度（伸縮性）を適宜選択することにより調整可能である。
【００３８】
次に、本実施形態のブラジャー１と、肩ストラップ部１３０に対するカップ部１１０の従来の連結構造を有するブラジャー１０１と、をそれぞれモニタに着用してもらい、その着用状態を比較した。ここでは、従来の連結構造を有するブラジャー１０１の一例として、以下のものを準備した。すなわち、図４（ｂ）に示すように、ブラジャー１０１の肩ストラップ部１３０は、裏カップ部１１１及び表カップ部１１５の上縁部分１１１ａ，１１５ａの両方に縫着されており、裏カップ部１１１に縫着されるが表カップ部１１５には縫着されない連結部（上記実施形態のブラジャー１でいう第２連結部３５）を有していないものであった。
【００３９】
それぞれの着用状態を、図４（ａ）及び図４（ｂ）に示した。図４（ａ）は、本実施形態の連結構造を有するブラジャーの着用状態を斜め上方前から見た図であり、図４（ｂ）は、従来の連結構造を有するブラジャーの着用状態を斜め上方前から見た図である。図４（ａ）に示すように、本実施形態の連結構造を有するブラジャー１を着用した場合には、図４（ｂ）に示す従来の連結構造を有するブラジャー１０１を着用した場合と比べて、バストに対するカップ部１０（裏カップ部１１及び表カップ部１５）の上縁部分１１ａ，１５ａの浮きが目立たなかった。これにより、本実施形態の連結構造を有するブラジャー１では、バストに対するカップ部１０の上縁部分１１ａ，１５ａの浮きが、より効果的に抑制されることが分かる。
【００４０】
（実施例）
次に、本実施形態のブラジャー１を実施例として製作し、以下の表１に示す１０代後半〜４０代前半のモニタ２３名による着用感の評価を行った。この評価では、上記実施例と、従来の肩ストラップ部とカップ部との連結構造を有するブラジャー（比較例）との対比評価を行った。
【００４１】
まず、評価モニタ２３名の内訳は、年齢別、バストボリューム別にグループ化すると以下に示す表１のとおりとなる。
【表１】
2014070287.tif 000003
【００４２】
比較例とするブラジャーとして、他社の従来の製品であり、表カップ部及び裏カップ部からなるカップ部において、表カップ部と裏カップ部と肩ストラップ部とが留め具によって連結されたブラジャーを準備した。
【００４３】
評価は、それぞれ、上記実施例と比較例とを対比して、どちらが優れていると感じたかを項目別に問うた。評価項目は、「カップ部上縁部分のバストに対するフィット感の優劣」及び「どちらを着用したいか」という２項目であった。
【表２】
2014070287.tif 000004
【００４４】
評価の比較結果によると、フィット感の優劣、すなわち、バストに対するカップ部１０の上縁部分１１ａ，１５ａの浮きが、従来品のブラジャーを着用した場合に比べ小さくなったと感じる人数が多かった。また、従来品よりも上記実施例を着用したいと感じる人数の方が多かった。
【００４５】
また、上段にて、本願発明者らは、カップ部のバストに対するフィット性の中でも、着用者の動きに起因して着崩れを生じやすくさせてしまう、カップ部上縁部分のバストに対するフィット性について、特にニーズが高いという調査結果を得たことを説明した。更に、調査を行った結果、どの年代であっても、カップ部上縁部分のバストに対するフィット性のニーズが高いことが分かった。
【００４６】
しかしながら、年代ごとにバストの形や柔らかさなどの特徴があり、バストに対するカップ部の上縁部分の浮きが発生するメカニズムが異なる。例えば、１０代後半〜２０代前半の女性に多くみられるバストであって、丸い形状で硬く、ボリュームの移動が困難であるバストにおいては、カップ部がバストの上に乗ることによりカップ部の上縁部分が浮きやすくなる。また、２０代後半〜３０代前半の女性に多くみられるバストであって、上胸のボリュームが落ちるバストにおいては、上胸部分が削げることによりカップ部の上縁部分が浮きやすくなる。また、３０代後半〜４０代前半の女性に多くみられるバストであって、年齢を重ねるに従って柔らかくなり、下垂したバストにおいては、柔らかい脂肪にブラジャーの力が吸収されることによりカップ部の上縁部分が浮きやすくなる。
【００４７】
上記実施例では、表１に示すように、１０代後半〜２０代前半、２０代後半〜３０代前半、及び３０代後半〜４０代前半のモニタ２３名による評価であり、上記表２に示すような評価結果を得ていることから、どのような世代のバストであっても、本実施形態のブラジャー１による効果を得られることが分かった。
【００４８】
（第２実施形態）
本発明の第２実施形態について、主に図５を参照して説明する。図５は、本発明に係るカップ部を有する衣類の第２実施形態であるブラジャーについて、カップ部の上縁部分を拡大して示す裏面図である。第２実施形態のブラジャー１Ａが、上記第１実施形態のブラジャー１と異なる点は、引き上げ部３１Ａが肩ストラップ部３０Ａの一部として形成されているのではなく、別部材として形成されている点である。その他の部分（カップ部１０、土台部４０及びバック部５０など）は、上記第１実施形態と同一である。ここでは、引き上げ部３１Ａの配置及び形状について詳細に説明し、上記第１実施形態と同一部分については、説明を省略する。
【００４９】
上述したとおり、着用時における肩ストラップ部３０Ａの引き上げと連動して裏カップ部１１及び表カップ部１５を引き上げる部分である引き上げ部３１Ａは、肩ストラップ部３０Ａとは別部材（図５に示すハッチング部分）として形成され、肩ストラップ部３０Ａの下端部に縫着されている。引き上げ部３１Ａは、伸縮性生地を成形して形成される布状部材であり、伸縮性生地としては、例えば、パワーネット、ツーウェイラッセルなどが用いられる。
【００５０】
引き上げ部３１Ａは、第１連結部３３Ａ及び第２連結部３５Ａにおいてカップ部１０（裏カップ部１１及び表カップ部１５）に縫着（連結）されている。第１連結部３３Ａは、表カップ部１５の上縁部分１５ａに縫着され、裏カップ部１１には縫着されていない。第２連結部３５Ａは、裏カップ部１１の上縁部分１１ａに縫着され、表カップ部１５には縫着されていない。
【００５１】
また、第２連結部３５Ａは、上下方向において第１連結部３３Ａよりも下方に位置する。言い換えれば、表カップ部１５は、上下方向において、引き上げ部３１Ａが縫着された部分（第１連結部３３Ａ）が、裏カップ部１１の上縁部分１１ａの位置よりも上方の部分まで覆うように設けられている。そして、引き上げ部３１Ａにおける第１連結部３３Ａと第２連結部３５Ａとの間には、裏カップ部１１及び表カップ部１５のいずれにも縫着（連結）されない自由部分３７Ａが形成されている。引き上げ部３１Ａの脇側端部は、表カップ部１５の脇側部分１５ｃに、テープ部材１２と共に縫着されている。なお、引き上げ部３１Ａの脇側端部は、脇側部分１５ｃに縫着されていなくてもよい。
【００５２】
このような構成のブラジャー１Ａが人体に着用されると、肩ストラップ部３０Ａが引き上げられ、肩ストラップ部３０Ａに縫着された引き上げ部３１Ａも連動して引き上げられる。この引き上げ部３１Ａの引き上げ力によって、カップ部１０（裏カップ部１１及び表カップ部１５）が上方へ引き上げられる。引き上げ部３１Ａは、第１連結部３３Ａ及び第２連結部３５Ａでカップ部１０に縫着されているので、第１実施形態のブラジャー１と同様に、単に裏カップ部１１の上縁部分１１ａが肌側に引き寄せられるだけではなく、表カップ部１５による肌側方向への押圧により裏カップ部１１の上縁部分１１ａが肌側に押さえつけられる。これにより、バストに対するカップ部１０の上縁部分１１ａ，１５ａの浮きを、より効果的に抑制することが可能となる。また、第１実施形態のブラジャー１と同様に、裏カップ部１１の上縁部分１１ａをより広く覆うことができ、目隠し的な効果も発揮する。
【００５３】
（第３実施形態）
本発明の第３実施形態について、主に図６を参照して説明する。図６は、本発明に係るカップ部を有する衣類の第３実施形態であるブラジャーについて、カップ部の上縁部分を拡大して示す裏面図である。第３実施形態のブラジャー１Ｂが、上記第１実施形態のブラジャー１と異なる点は、引き上げ部３１Ｂが肩ストラップ部３０Ｂの一部として形成されているのではなく、別部材として形成されている点である。その他の部分は、上記第１実施形態と同一である。ここでは、引き上げ部３１Ｂの配置及び形状について詳細に説明し、上記第１実施形態と同一部分については、説明を省略する。なお、図６では、便宜的に、肩ストラップ部３０Ｂと引き上げ部３１とを分離した状態を図示した。
【００５４】
上述したとおり、着用時における肩ストラップ部３０Ｂの引き上げと連動して裏カップ部１１及び表カップ部１５を引き上げる部分である引き上げ部３１Ｂは、肩ストラップ部３０Ｂとは別部材（図６に示すハッチング部分）として形成される。また、引き上げ部３１Ｂは、肩ストラップ部３０Ｂの下端部に設けられた留め具３８Ｂを介して肩ストラップ部３０Ｂに連結される。留め具３８Ｂは、引き上げ部３１Ｂの上端の連結部３９Ｂに固定される。引き上げ部３１Ｂは、肩ストラップ部と同様の伸縮性のあるテープ部材が用いられ、例えばニードルテープ、ラッセルテープなどが用いられる。
【００５５】
引き上げ部３１Ｂのカップ部１０への連結構造は、上記第１実施形態のブラジャー１の引き上げ部３１と同じである。したがって、このような引き上げ部３１Ｂを有するブラジャー１Ｂが人体に着用された場合も、第１実施形態のブラジャー１と同様の作用により、同様の効果を得ることができる。
【００５６】
（第４実施形態）
本発明の第４実施形態について、主に図７を参照して説明する。図７は、本発明に係るカップ部を有する衣類の第４実施形態であるブラジャーについて、カップ部の上縁部分を拡大して示す裏面図である。第４実施形態のブラジャー１Ｃが、上記第１実施形態のブラジャー１と異なる点は、肩ストラップ部３０Ｃの一部である引き上げ部３１の先端が二つに分かれている点である。その他の部分は、上記第１実施形態と同一である。ここでは、上記第１実施形態と同一部分については、説明を省略する。
【００５７】
上述したとおり、着用時における肩ストラップ部３０Ｃの引き上げと連動して裏カップ部１１及び表カップ部１５を引き上げる部分である引き上げ部３１Ｃ（図７に示すハッチング部分）は、第１連結部３３Ｃよりも下方の位置で二つに分かれている。第１連結部３３Ｃは、表カップ部１５の上縁部分１５ａに縫着され、裏カップ部１１には縫着されていない部分である。二つに分かれた一方の部位は、裏カップ部１１及び表カップ部１５の脇側端部１１ｃ，１５ｃに沿って配置され、その下端は、裏カップ部１１の上縁部分１１ａに縫着される（第２連結部３５Ｃ）。また、二つに分かれた他方の部位の下端は、上記一方の部位よりも前中心寄りにおいて、裏カップ部１１の上縁部分１１ａに縫着される（第２連結部３５Ｃ）。第２連結部３５Ｃでは、表カップ部１５には縫着されない。
【００５８】
また、いずれの第２連結部３５Ｃも、上下方向において第１連結部３３Ｃよりも下方に位置する。言い換えれば、表カップ部１５は、上下方向において、引き上げ部３１が縫着された部分（第１連結部３３Ｃ）が、裏カップ部１１の上縁部分１１ａの位置よりも上方の部分まで覆うように設けられている。そして、引き上げ部３１Ｃにおける第１連結部３３Ｃと両方の第２連結部３５Ｃとのそれぞれの間には、裏カップ部１１及び表カップ部１５のいずれにも縫着（連結）されない自由部分３７Ｃがそれぞれ形成されている。
【００５９】
引き上げ部３１Ｃにおける二つの部位のカップ部１０への連結構造は、上記第１実施形態のブラジャー１の引き上げ部３１と同じである。したがって、このような引き上げ部３１Ｃを有するブラジャー１Ｃが人体に着用された場合も、第１実施形態のブラジャー１と同様の作用により、同様の効果を得ることができる。
【００６０】
（第５実施形態）
本発明の第５実施形態について、主に図８を参照して説明する。図８は、本発明に係るカップ部を有する衣類の第５実施形態であるブラジャーについて、カップ部の上縁部分を拡大して示す裏面図である。第５実施形態のブラジャー１Ｄが、上記第１実施形態のブラジャー１と異なる点は、上記第４実施形態のブラジャー１Ｃと同様に、肩ストラップ部３０Ｄの一部である引き上げ部３１Ｄの先端が二つに分かれている点である。その他の部分は、上記第１実施形態と同一である。ここでは、引き上げ部３１Ｄの配置及び形状について詳細に説明し、上記第１実施形態と同一部分については、説明を省略する。
【００６１】
上述したとおり、着用時における肩ストラップ部３０Ｄの引き上げと連動して裏カップ部１１及び表カップ部１５を引き上げる部分である引き上げ部３１Ｄ（図８に示すハッチング部分）は、表カップ部１５の上縁部分１５ａに縫着され、裏カップ部１１には縫着されてない第１連結部３３Ｄよりも上方の位置で二つに分かれている。以下、便宜的に、引き上げ部３１Ｄのうち、二つに分かれた一方の部位を「第１引き上げ部３２Ｄ」と称し、他方の部位を「第２引き上げ部３４Ｄ」と称す。
【００６２】
引き上げ部３１Ｄは、第１連結部３３Ｄ及び第２連結部３５Ｄにおいてカップ部１０（裏カップ部１１及び表カップ部１５）に縫着（連結）されている。詳細には、第１引き上げ部３２Ｄは、第１連結部３３Ｄにおいて、表カップ部１５の上縁部分１５ａに縫着される。第１連結部３３Ｄでは、第１引き上げ部３２Ｄと裏カップ部１１とは縫着されていない。また、第２引き上げ部３４Ｄは、第２連結部３５Ｄにおいて、裏カップ部１１の上縁部分１１ａに縫着される。第２連結部３５Ｄでは、第２引き上げ部３４Ｄと表カップ部１５とは縫着されていない。
【００６３】
ここで、肩ストラップ部３０Ｄの引き上げにより、裏カップ部１１及び表カップ部１５を独立して引っ張ろうとすると、裏カップ部１１（裏カップ部１１が非伸縮性の場合には伸び量は０である）及び第２引き上げ部３４Ｄのそれぞれの伸び量の和と、表カップ部１５及び第１引き上げ部３２Ｄのそれぞれの伸び量の和と、が略同一になる必要がある。なお、表カップ部１５の上縁部分１５ａが裏カップ部１１の上縁部分１１ａより上方に位置するようにすることは、表カップ部１５、裏カップ部１１、第１引き上げ部３２Ｄ及び第２引き上げ部３４Ｄのそれぞれの伸度（伸縮性）を適宜選択することにより調整可能である。
【００６４】
このような構成のブラジャー１Ｄが人体に着用されると、肩ストラップ部３０Ｄが引き上げられ、肩ストラップ部３０Ｄの一部である引き上げ部３１Ｄも連動して引き上げられる。このとき、表カップ部１５Ｄは第１引き上げ部３２Ｄによって、また、裏カップ部１１は第２引き上げ部３４Ｄによって、それぞれ独立して上方に引っ張られる。ここで、表カップ部１５の伸縮性が裏カップ部１１よりも高く、かつ表カップ部１５が裏カップ部１１の上縁部分１５ａの位置よりも上方の位置まで覆うように設けられており、裏カップ部１１及び表カップ部１５は、第１引き上げ部３２Ｄ及び第２引き上げ部３４Ｄの引き上げによりそれぞれ独立して引っ張られるので、表カップ部１５は、裏カップ部１１の上縁部分１１ａを完全に覆うようになり、裏カップ部１１を肌側に向かって押圧するようにもなる。この結果、第１実施形態のブラジャー１と同様の効果を得ることができる。
【００６５】
（第６実施形態）
本発明の第６実施形態について、主に図９及び図１０を参照して説明する。図９は、本発明に係るカップ部を有する衣類の第６実施形態であるブラジャーについて、カップ部の上縁部分を拡大して示す裏面図である。図１０は、図９のカップ部の上縁部分を示す断面図である。第６実施形態のブラジャー１Ｅが、上記第５実施形態のブラジャー１Ｄと異なる点は、図９及び図１０に示すように、表カップ部１５Ｅのサイズが裏カップ部１１と同じである点である。言い換えれば、上下方向における表カップ部１５Ｅ及び裏カップ部１１の上縁部分１１ａ，１５ａＥの位置が同じである点である。その他の部分は、上記第５実施形態と同一である。ここでは、上記第５実施形態と同一部分については、説明を省略する。
【００６６】
ここで、肩ストラップ部３０Ｅの引き上げにより、表カップ部１５Ｅの上縁部分１５ａＥが裏カップ部１１の上縁部分１１ａより上方に位置するようにしようとすると、裏カップ部１１に連結される第２引き上げ部３４Ｅの伸縮性を第１引き上げ部３２Ｅの伸縮性よりも高くする必要がある。なお、表カップ部１５Ｅの上縁部分１５ａＥが裏カップ部１１の上縁部分１１ａより上方に位置するようにすることは、表カップ部１５Ｅ、裏カップ部１１、第１引き上げ部３２Ｅ及び第２引き上げ部３４Ｅのそれぞれの伸度（伸縮性）を適宜選択することにより調整可能である。
【００６７】
引き上げ部３１Ｅ（図９に示すハッチング部分）における二つの部位のカップ部１０への連結構造は、上記第５実施形態のブラジャー１Ｄの引き上げ部３１Ｄと同じである。また、上下方向における表カップ部１５Ｅ及び裏カップ部１１の上縁部分１１ａ，１５ａＥの位置が同じであっても、表カップ部１５Ｅ及び裏カップ部１１は、第１引き上げ部３２Ｅ及び第２引き上げ部３４Ｅによって、それぞれ独立して上方に引っ張られるので、裏カップ部１１よりも伸縮性の高い表カップ部１５Ｅは、裏カップ部１１よりも長く伸びる。これにより、裏カップ部１１の上縁部分１１ａは、表カップ部１５Ｅで覆われる。したがって、このような引き上げ部３１Ｅを有するブラジャー１Ｅが人体に着用された場合も、第５実施形態のブラジャー１Ｄと同様の作用により、同様の効果を得ることができる。
【００６８】
以上、本発明の第１実施形態〜第６実施形態及び実施例について説明したが、本発明は上記実施形態及び実施例に限定されるものではなく、発明の趣旨を逸脱しない範囲で種々の変更が可能である。
【００６９】
第１実施形態〜第６実施形態及び実施例では、裏カップ部１１よりも高い伸縮性を有する表カップ部１５の例を挙げて説明したが、本発明はこれに限定されるものではない。例えば、図２及び図３のように、第２連結部３５が、上下方向において第１連結部３３よりも下方に位置する場合、言い換えれば、表カップ部１５が、上下方向において裏カップ部１１の上縁部分１１ａの位置よりも上方の部分まで覆うように設けられている場合には、表カップ部１５の伸縮性は、裏カップ部１１と同等としてもよい。
【００７０】
裏カップ部１１、表カップ部１５，１５Ｅ及び引き上げ部３１，３１Ａ〜３１Ｅ（第１引き上げ部３２Ｄ，３２Ｅ、第２引き上げ部３４Ｄ、３４Ｅ）の相互の伸度（伸縮性）の関係は、第１実施形態〜第６実施形態及び実施例で示した関係に限定されることなく、第１実施形態〜第６実施形態及び実施例と同様の効果を得るために、その形態により適宜選択され得る。
【００７１】
第１実施形態〜第６実施形態及び実施例では、引き上げ部３１，３１Ａ〜３１Ｅがカップ部１０の脇側端部近傍に連結される例を挙げて説明したがこれに限定されるものではなく、前中心側に寄った位置に連結されてもよい。
【００７２】
また、第１実施形態及び第４〜６実施形態では、引き上げ部３１，３１Ｃ〜３１Ｅが肩ストラップ部３０，３０Ｃ〜Ｅの一部として形成される例を挙げて説明したが、引き上げ部が別部材として形成され、肩ストラップ部に直接的又は間接的に連結される構成としてもよい。
【００７３】
また、第４〜６実施形態のように引き上げ部３１Ｃ〜Ｅの先端が二つに分かれる場合には、二つに分かれた少なくとも一方の部位を別部材として形成し、他方の部位と互いに連結されるような構成としてもよい。更に、第４〜６実施形態では、二つに分かれた部位を左右方向にずらして配置される例を挙げて説明したが、前後方向にずらして配置してもよい。
【００７４】
また、第２実施形態では、肩ストラップ部３０Ａと引き上げ部３１Ａとが縫着によって連結される例を挙げて説明したが、例えば、肩ストラップ部３０Ａと引き上げ部３１Ａとは、留め具を介して連結されてもよいし、接着、溶着、融着などによって連結されてもよい。
【００７５】
第３実施形態のブラジャー１Ｂでは、肩ストラップ部３０Ｂと引き上げ部３１Ｂとが留め具を介して連結された例を挙げて説明したが、例えば、肩ストラップ部３０Ｂと引き上げ部３１Ｂとを縫着、接着、溶着、融着するなどして直接連結してもよい。
【００７６】
上記第１〜第５実施形態のブラジャー１，１Ａ〜Ｄでは、表カップ部１５及び裏カップ部１１について一つの形状を例に挙げて説明したが、本発明はこの形状に限定されるものではない。また、裏カップ部は、一つの部材により構成されるものであってもよいし、複数の部材により構成されるものであってもよい。更に、ワイヤ４５及びテープ部材１２，４３，４７、土台部４０の有無も任意である。
【００７７】
また、例えば、ブラジャー着用時のバストの造形性を高めるために、上記実施例で説明した年代ごとのバストの特徴に合わせて、所定の機能を発揮するようにカップ部の形状などが構成される場合がある。このような形状のブラジャーに本実施形態のカップ部に対する肩ストラップ部（引き上げ部）の連結構造を組み合わせれば、所定の機能に加えて、カップ部上縁部分のバストに対するフィット性を高めることができる場合がある。
【００７８】
上記第１〜第６実施形態では、引き上げ部３１，３１Ａ〜Ｅが裏カップ部１１の表側に縫着される例を挙げて説明したが、裏カップ部１１の裏側に縫着されてもよいし、端部同士が縫着されてもよい。また、引き上げ部３１，３１Ａ〜Ｅが表カップ部１５の裏側に縫着される例を挙げて説明したが、表カップ部１５の表側に縫着されてもよいし、端部同士が縫着されてもよい。
【００７９】
上記第１〜第６実施形態及び実施例では、バック部５０の両端をホック５１で掛け留めするタイプのブラジャーを例示したが、前中心において土台部４０の左右を分離して、ホック等で掛け留めするフロントホックタイプのブラジャーにも適用が可能である。
【００８０】
また、上記第１〜第６実施形態及び実施例の特徴部分は、フルカップブラジャー、３／４カップブラジャー及び１／２カップブラジャーなどの全てのタイプのブラジャーに適用が可能である。
【００８１】
また、上記第１〜第６実施形態及び実施例の特徴部分は、ブラジャー以外でも、ブラスリップ、ブラキャミソール、カップ付きテディ、ボディスーツ及び水着などのような、カップ部を備える衣類にも適用が可能である。
【符号の説明】
【００８２】
１，１Ａ〜１Ｅ…ブラジャー（カップ部を有する衣類）、１０…カップ部、１１…裏カップ部、１１ａ…裏カップ部の上縁部分、１５，１５Ｅ…表カップ部、１５ａ，１５ａＥ…表カップ部の上縁部分、３０，３０Ａ〜３０Ｅ…肩ストラップ部、３１，３１Ａ〜３１Ｅ…引き上げ部、３２Ｄ，３２Ｅ…第１引き上げ部、３３，３３Ａ〜３３Ｅ…第１連結部、３４Ｄ，３４Ｅ…第２引き上げ部、３５，３５Ａ〜３５Ｅ…第２連結部、３７，３７Ａ〜３７Ｃ…自由部分、３８Ｂ…留め具、４０…土台部、５０…バック部。
【図１】
2014070287.tif 000005
【図２】
2014070287.tif 000006
【図３】
2014070287.tif 000007
【図４】
2014070287.tif 000008
【図５】
2014070287.tif 000009
【図６】
2014070287.tif 000010
【図７】
2014070287.tif 000011
【図８】
2014070287.tif 000012
【図９】
2014070287.tif 000013
【図１０】
2014070287.tif 000014